(57)【特許請求の範囲】
【請求項１】
記録紙を紙サイズによっては給紙トレイに横置きと縦置きができる複数の給紙部と、入力した画像データを各給紙部から給紙される記録紙に転写する作像部と、作像部で画像を形成された記録紙を排紙する排紙部とを備えた画像形成装置において、
前記作像部は同サイズの横置きと縦置きの記録紙を１部ずつ交互に方向を変えて画像データを複写する回転ソート機能を有し、
前記排紙部は、画像が転写されて搬送された記録紙の上下や左右に１個所あるいは２個所又はコーナ部の１個所を綴じるステープル機能と、搬送された記録紙の後端に対し穴を開けるパンチ機能を有し、
前記パンチと回転ソートが指定された場合は回転ソートの指定を解除しパンチ指定を優先することを特徴とする画像形成装置。
【請求項２】
記録紙を紙サイズによっては給紙トレイに横置きと縦置きができる複数の給紙部と、入力した画像データを各給紙部から給紙される記録紙に転写する作像部と、作像部で画像を形成された記録紙を排紙する排紙部とを備えた画像形成装置において、
前記排紙部は、画像が転写されて搬送された記録紙の上下や左右に１個所あるいは２個所又はコーナ部の１個所を綴じるステープル機能と、搬送された記録紙の後端に対し穴を開けるパンチ機能を有し、
両面綴じ方向とステープルの綴じ方向に矛盾が有ったときに、両面の綴じ方向を優先し、両面の綴じ方向に適したステープルパターンを選択し直してステープルを実行することを特徴とする画像形成装置。
【請求項３】
記録紙を紙サイズによっては給紙トレイに横置きと縦置きができる複数の給紙部と、入力した画像データを各給紙部から給紙される記録紙に転写する作像部と、作像部で画像を形成された記録紙を排紙する排紙部とを備えた画像形成装置において、
前記排紙部は、画像が転写されて搬送された記録紙の上下や左右に１個所あるいは２個所又はコーナ部の１個所を綴じるステープル機能と、搬送された記録紙の後端に対し穴を開けるパンチ機能を有し、
両面綴じ方向とパンチの穴開け方向に矛盾が有ったときに、両面の綴じ方向を優先し、両面の綴じ方向に適したパンチパターンを選択し直してパンチを実行することを特徴とする画像形成装置。
【発明の詳細な説明】
【０００１】
【発明の属する技術分野】
この発明は、ステープル機能やパンチ機能等を有するデジタル複写機やプリンタ装置等の画像形成装置、特にステープル機能やパンチ機能等の適正な処理に関するものである。
【０００２】
【従来の技術】
デジタル複写機やプリンタ装置において、例えば特開平９−２６１４１５号公報に示されているように、画像が転写されて搬送された記録紙の上下や左右に１個所又は２個所あるいはコーナ部の１か所を綴じるステープル機能と、搬送された紙の後端に対し穴を開けるパンチ機能を持つものが使用されている。特開平９−２６１４１５号公報に示された画像形成装置は、複写する画像の文字列方向を判別して適切な回転処理をして、一定の方向に揃った記録紙のステープル処理を行うようにしている。
【０００３】
【発明が解決しようとする課題】
ホストコンピュータで作成した文書をプリンタ装置で印刷する場合、一般にユーザはプリンタ装置の給紙トレイにどのサイズの記録紙がどの方向にセットされているかを意識しないで印刷する。特に、近年はネットワーク環境で印刷する場合も多く、近くにプリンタ装置が無い場合も多いので、プリンタ装置の給紙トレイの記録紙の状態を意識しないで印刷する場合が多い。このような環境で、ステープル機能やパンチ機能などの後処理装置が付いたプリンタ装置を使って、ステープル機能等を指定して印刷させると、プリンタ装置では指定されたままでステープルを行う。このため場合によってはユーザの意図しない方向にステープルされることがあり得る。
【０００４】
この発明はかかる不具合を解消し、画像が転写された記録紙の状態に応じてステープル機能やパンチ機能などの後処理を行い適正な印刷物を得ることができる画像形成装置を提供することを目的とするものである。
【０００５】
【課題を解決するための手段】
この発明に係る画像形成装置は、記録紙を紙サイズによっては給紙トレイに横置きと縦置きができる複数の給紙部と、入力した画像データを各給紙部から給紙される記録紙に転写する作像部と、作像部で画像を形成された記録紙を排紙する排紙部とを備えた画像形成装置において、作像部は同サイズの横置きと縦置きの記録紙を１部ずつ交互に方向を変えて画像データを複写する回転ソート機能を有し、排紙部は、画像が転写されて搬送された記録紙の上下や左右に１個所あるいは２個所又はコーナ部の１個所を綴じるステープル機能と、搬送された記録紙の後端に対し穴を開けるパンチ機能を有し、パンチと回転ソートが指定された場合は回転ソートの指定を解除しパンチ指定を優先することを特徴とする。
【０００７】
さらに、両面綴じ方向とステープルの綴じ方向又はパンチの穴開け方向に矛盾が有ったときに、両面の綴じ方向を優先し、両面の綴じ方向に適したステープルパターン又はパンチパターンを選択し直してステープル又はパンチを実行することが望ましい。
【０００９】
【発明の実施の形態】
この発明のプリンタ装置はプリンタコントローラと作像部とを有する。プリンタコントローラはホスト装置から印刷データやコマンドを授受するホストインタフェースと画像作像部とメモリ及び作像インタフェースを有する。画像作像部はホスト装置から送られた印刷データを解釈して画像データに展開するとともにホスト装置から送られたコマンドを解釈し、ステープルとパンチと回転ソートの組合わせが発生しているかどうかを確認し、ステープルの可否を判断してステープルやパンチの指示を行う。メモリにはステ−プルする位置を定めるステ−プルパターンに対して、指定された印刷方向と紙サイズと給紙方向に対して適正にステープルやパンチをすることができるか否を示す各種の組合せがルックアップテーブルとして格納されている。作像インタフェースは作像部に画像データを送るとともに作像部との間で各種命令や情報を授受する。印刷方向と紙サイズと給紙方向に対して、適正なステープルする位置を定めるステープルパラメータと穴開けをする位置を定めるパンチパラメータとその組合せを
【００１０】
作像部は画像処理主制御部と複数の給紙部とプロッタと排紙部を有する。画像処理主制御部はプリンタコントローラからの命令を受けて画像形成と給紙と排紙を制御する。給紙部の給紙トレイは紙サイズ、例えばＡ４サイズ以下の記録紙が横置きと縦置きできるようになっている。プロッタは同サイズ例えばＡ４サイズの横置きと縦置きの記録紙を１部ずつ交互に方向を変えて画像データを複写する回転ソート機能を有し、プリンタコントローラから送られた画像データを各給紙部から給紙される記録紙に転写する。排紙部はプロッタで画像が転写されて搬送された記録紙の１個所又は２個所を綴じるステープル機能と搬送された記録紙の後端に対し穴を開けるパンチ機能を有する。
【００１１】
ホスト装置から印刷方向と紙サイズとステープル，パンチ個所と綴じ方向を含む両面印刷か否等の印刷条件と後処理条件を示すコマンドとともに印刷データがプリンタ装置に送られると、プリンタ装置の画像作成部は送られた印刷データを解釈して画像データに展開し、送られたコマンドを解釈し、コマンドに指定されている後処理条件例えばステープルパターンにより指定された印刷方向と紙サイズと給紙方向に対してステープルやパンチがきるかどうかを判断し、ステープル又はパンチが可能な場合はステープル又はパンチの処理条件を設定する。このステープル又はパンチの処理条件を設定するときに、ホスト装置からステープル又はパンチと回転ソートの指定があったときは、回転ソートの指定を解除してステープル又はパンチの指定を優先する。この一連の設定処理が終了するとプリンタコントローラから展開した画像データと処理条件を作像部に送り、記録紙に印刷するとともに設定された処理条件でステープルあるいはパンチを実行する。
【００１２】
このようにしてホスト装置からステープル又はパンチと回転ソートの指定があったときは、回転ソートの指定を解除してステープル又はパンチの指定を優先するから、回転ソートにより１部ずつ違う綴じ方向で綴じられたり穴開けをすることを防ぐことができる。
【００１３】
【実施例】
図１はこの発明の一実施例の構成を示すブロック図である。図に示すように、ホスト装置１００から送られた画像データを印刷するプリンタ装置２００はプリンタコントローラ２１０と作像部２２０とを有する。プリンタコントローラ２１０はホスト装置１００から印刷データやコマンドを授受するホストインタフェース２１１と画像作像部２１２とメモリ２１３及び作像インタフェース２１４を有する。画像作像部２１２は画像データ展開部２１５と後処理判定部２１６を有する。画像データ展開部２１５はホスト装置１００から送られた印刷データを解釈して画像データに展開する。後処理判定部２１６はホスト装置１００から送られたコマンドを解釈し、ステープルとパンチと回転ソートの組合わせが発生しているかどうかを確認し、ステープルの可否と１８０度回転の必要性を判断してステープルやパンチの指示と１８０度回転の指示を行う。メモリ２１３には各種のステープル・パンチパターンに対して適正にステープルやパンチをすることができるか否を示す各種の組合せが格納されている。作像インタフェース２１４は作像部２２０に画像データを送るとともに作像部２２０との間で各種命令や情報を授受する。
【００１４】
作像部２２０は画像処理主制御部２２１と複数の給紙部２２２ａ〜２２２ｄとプロッタ２２３と排紙部２２４を有する。画像処理主制御部２２１はプリンタコントローラ２１０からの命令を受けてプロッタ２２３の画像形成や給紙部２２２ａ〜２２２ｄの給紙や排紙部２２４の排紙を制御する。給紙部２２２ａ〜２２２ｄの給紙トレイは紙サイズ、例えばＡ４サイズ以下の記録紙が横置きと縦置きができるようになっている。プロッタ２２３は同サイズ例えばＡ４サイズの横置きと縦置きの記録紙を１部ずつ交互に方向を変えて画像データを複写する回転ソート機能を有し、プリンタコントローラ２１０から送られた画像データを各給紙部２２２ａ〜２２２ｄから給紙される記録紙に転写する。排紙部２２４はステープル処理部２２５とパンチ処理部２２６を有する。ステープル処理部２２５はプロッタ２２３で画像が転写されて搬送された記録紙の１個所又は２個所を綴じるステープルを行い、パンチ処理部２２６は搬送された記録紙の後端に対し穴を開けるパンチを行う。
【００１５】
このステープル処理部２２５でステープルするパターンは図２に示すように、画像が転写された記録紙２３０の左右の上下２個所の位置を１個所ずつステープルするパターン１，３，１１，９と、上下の左右２個所の位置を１個所ずつステープルするパターン１５，１３，５，７と、各コーナの位置を１個所ずつステープルするパターン０，４，８，１２と、左側の上下２個所の位置１，３を同時ステープルするパターン２と、右側の上下２個所の位置１１，９を同時ステープルするパターン１０と、上側の左右２個所の位置１５，１３を同時ステープルするパターン１４と、下側の左右２個所の位置５，７を同時ステープルするパターン６の１６通りある。
【００１６】
このステ−プルする位置を定めるステ−プルパターン０〜１５に対して、指定された印刷方向（ポートレイト，ランドスケイプ）と紙サイズと給紙方向で適正にステープルやパンチをすることができるか否を示す各種の組合せを図３〜図６に示す。図３〜図６において、「解除」は目的の方向にステープルが物理的に不可能であるからステープルを解除することを示し、「０／１８０」は目的の方向にステープルするために記録紙２３０を回転させる回転角を示し、「解除綴じ」は両面印刷の綴じ方向とステープルの綴じ方向に矛盾がある組合せであるためステープルとパンチを解除することを示す。また、パンチパラメータの括弧内はステープルとパンチが同時に指定されたときに許可する組合せを示し、この解除条件はステープルに従う。例えばホスト装置１００でステープルパターン０と両面綴じ方向として上綴じを指定した場合は、ステープルパターン０と両面上綴じ方向にステープルすることは物理的に不可能であるからステープルを解除する。またホスト装置１００でステープルパターン０と両面綴じ方向として右綴じを指定した場合は、両面印刷の綴じ方向とステープルの綴じ方向に矛盾があるからステープルを解除する。この図３〜図６に示すパターンと印刷方向（ポートレイト，ランドスケイプ）と紙サイズと給紙方向に対するステープルパラメータとパンチパラメータの組合せがルックアップテーブルとしてプリンタコントローラ２１０のメモリ２１３にあらかじめ格納してある。
【００１７】
上記のように構成されたプリンタ装置２００でホスト装置１００から送られた印刷データを印刷するときの動作を図７のフローチャートを参照して説明する。ユーザがホスト装置１００で文書や図を作成して印刷指示を行うと、ホスト装置１００のプリンタドライバが起動され印刷の設定処理に入る（ステップＳ１）。この印刷の設定処理においてユーザがアプリケーション又はプリンタドライバの設定で、印刷方向（ポートレイト・ランドスケイプ）と紙サイズと、例えば図２に示すステープルパターン０〜１５でステープル，パンチ個所と綴じ方向を含む両面印刷か否等の印刷条件と後処理条件を指定すると、プリンタドライバは設定された情報と文書情報を基に印刷データと印刷条件や後処理条件のコマンドを生成する（ステップＳ２）。ホスト装置１００は生成した印刷データと印刷条件や後処理条件を示すコマンドをプリンタインタフェースを介してプリンタ装置２００に転送する（ステップＳ３）。プリンタ装置２００のホストインタフェース２１１は転送された印刷データとコマンドを受信して画像作成部２１２に送る（ステップＳ４）。画像作成部２１２の画像データ展開部２１５は送られた印刷データを解釈して画像データに展開する（ステップＳ５）。また、後処理判定部２１６は送られたコマンドを解釈し、コマンドに指定されている後処理条件例えばステープルパターンと、メモリ２１３に格納された図３〜図６に示すルックアップテーブルの印刷方向と指定サイズとステープル個所とパターンと両面指定と綴じ方向及び実際に作像部２２０の給紙部２２２ａ〜２２２ｄの給紙トレイに設定されている記録紙２３０などの情報の組み合わせを比較し、ステープルとパンチの可否と１８０度回転の必要性を判断する（ステップＳ６）。ステープル又はパンチが可能な場合は、ステープル又はパンチの設定を行い、１８０度回転する必要がある場合には１８０度回転を設定する（ステップＳ７）。この後処理条件を設定するときに、ホスト装置１００からステープル又はパンチと回転ソートの指定があったときは、回転ソートの指定を解除してステープル又はパンチの指定を優先し、ステープル又はパンチの指定が解除される条件のときに回転ソートを設定する。また、ステープルとパンチの指定に、図３〜図６の「解除」と示された組合せのように矛盾があった場合には、ステープルとパンチの指定を解除して回転ソートを設定する。
【００１８】
また、ステープルとパンチが必要ない場合には、回転ソートの指定があるかどうかを判断し（ステップＳ８）、回転ソートの指定がある場合は頁回転を設定する（ステップＳ９）。この処理を頁データの全てが終了するまで繰り返す（ステップＳ１０，Ｓ５〜Ｓ９）。一連の設定処理が終了すると画像作成部２１２は画像データ展開部２１５で展開した画像データと後処理判定部２１６で設定した処理条件を作像部２２０の画像処理主制御部２２１に送る（ステップＳ１１）。画像処理主制御部２２１は送られた画像データによりプロッタ２２３で画像を形成させ、給紙部２２２から送られる記録紙に印刷させる（ステップＳ１２）。そして全ての頁の画像データを印刷したら（ステップＳ１３）、画像処理主制御部２２１は送られた処理条件でステープルあるいはパンチが設定されているときは、その設定された処理条件で排紙部２２４のステープル処理部２２５やパンチ処理部２２６によりステープルあるいはパンチを実行させてから排紙する（ステップＳ１４，Ｓ１５）。
【００１９】
このようにホスト装置１００からステープル又はパンチと回転ソートの指定があったときは、回転ソートの指定を解除してステープル又はパンチの指定を優先するから、回転ソートにより１部ずつ違う綴じ方向で綴じられたり穴開けをすることを防ぐことができる。また、ステープル又はパンチの指定が解除される条件のときに回転ソートを設定したり、ステープル又はパンチあるいはステープルとパンチの指定に矛盾があった場合には、ステープルとパンチの指定を解除して回転ソートを設定するから、ステープルやパンチができない場合でも印刷された記録紙を１部毎に確実に仕分けることができる。
【００２０】
上記実施例はステープル又はパンチの指定に矛盾があった場合には、ステープル又はパンチの指定を解除する場合について説明したが、ステープルパターン０〜１５に対する印刷方向（ポートレイト，ランドスケイプ）と紙サイズと給紙方向の適正な組合せを、図８〜図１１に示すように、ステープルの綴じ方向又はパンチの穴開け方向と両面綴じ方向とが矛盾しているときは、両面綴じ方向を優先し、ステープルとパンチの指定に矛盾があるときは、ステープルを優先するようにしても良い。このようにしてステープルの綴じ方向又はパンチの穴開け方向と両面綴じ方向とが矛盾しているときは、両面綴じ方向に適したステープルパターンやパンチパターンを選択し直してステープルやパンチを実行し、ステープルやパンチを解消することなくジョブを実行することができる。また、ステープルとパンチの指定に矛盾があるときは、ステープルの綴じ方向を優先してステープルとパンチを実行してステープルの成功率を高めることができる。
【００２１】
【発明の効果】
この発明は以上説明したように、パンチと回転ソートが指定がされた場合は回転ソートの指定を解除し、パンチ指定を優先して実行するから、回転ソートにより１部ずつ違う綴じ方向で綴じられたり穴開けをすることを防ぐことができる。
【００２３】
さらに、ステープルの綴じ方向又はパンチの穴開け方向と両面綴じ方向とが矛盾しているときは、両面綴じ方向に適したステープルパターンやパンチパターンを選択し直してステープルやパンチを実行することにより、ステープルやパンチを解消することなくジョブを実行することができる。
【図面の簡単な説明】
【図１】この発明の実施例の構成を示すブロック図である。
【図２】ステープルする位置を示すパターン図である。
【図３】適正にステープルできるか否を示す第１の組合せを示す説明図である。
【図４】適正にステープルできるか否を示す第２の組合せを示す説明図である。
【図５】適正にステープルできるか否を示す第３の組合せを示す説明図である。
【図６】適正にステープルできるか否を示す第４の組合せを示す説明図である。
【図７】上記実施例の動作を示すフローチャートである。
【図８】第２の実施例の適正にステープルできるか否を示す第１の組合せを示す説明図である。
【図９】第２の実施例の適正にステープルできるか否を示す第２の組合せを示す説明図である。
【図１０】第２の実施例の適正にステープルできるか否を示す第３の組合せを示す説明図である。
【図１１】第２の実施例の適正にステープルできるか否を示す第４の組合せを示す説明図である。
【符号の説明】
１００      ホスト装置
２００      プリンタ装置
２１０      プリンタコントローラ
２１１      ホストインタフェース
２１２      画像作像部
２１３      メモリ
２１４      作像インタフェース
２１５      画像データ展開部
２１６      後処理判定部
２２０      作像部
２２１      画像処理主制御部
２２２      給紙部
２２３      プロッタ
２２４      排紙部
２２５      ステープル処理部
２２６      パンチ処理部
【図１】
0003717670.tif 000002
【図２】
0003717670.tif 000003
【図３】
0003717670.tif 000004
【図４】
0003717670.tif 000005
【図５】
0003717670.tif 000006
【図６】
0003717670.tif 000007
【図７】
0003717670.tif 000008
【図８】
0003717670.tif 000009
【図９】
0003717670.tif 000010
【図１０】
0003717670.tif 000011
【図１１】
0003717670.tif 000012